(57)【要約】【課題】記録媒体に記録したテレビ番組などの情報をユーザが指定した時間内にハイライトシーンを再生させることができる情報記録再生装置を提供する。【解決手段】例えば１５分でサーカー番組のハイライトシーンを視聴したい場合、その１５分がハイライト再生時間として設定され、ハードディスクから抽出される各ハイライトシーンに対するシーン毎再生時間が５分に設定されたとする。ハードディスクに記録されたサッカー番組の各ハイライトシーンがシーン毎再生時間（５分）の間それぞれ抽出される。シーン毎再生時間が５分であり、ハイライトシーンの個数が５個であった場合、ハイライトシーンの総再生時間は５分×５で２５分となる。総再生時間（２５分）がハイライト再生時間（１５分）以内でないので、ハイライト度の順位が付けられたハイライトシーンの中から順位の高いハイライトシーンがハイライト再生時間（１５分）の間だけ再生される。【選択図】図４
2008004170.tif 000002
【特許請求の範囲】
【請求項１】
テレビ番組を記録媒体に記録できる構成を有し、記録媒体に対して情報を記録したり、記録媒体に記録された情報を再生したりする情報記録再生装置において、
記録媒体に記録された情報のハイライトシーンを視聴するためにユーザにより指定されたハイライト再生時間を設定するハイライト再生時間設定手段と、
前記記録媒体から抽出される各ハイライトシーンに対するシーン毎再生時間を一定時間に設定、または前記記録媒体から抽出される各ハイライトシーンに対するシーン毎再生時間を少なくとも所定の音量以上の部分が続いている期間の時間に設定するシーン毎再生時間設定手段と、
前記記録媒体に記録された情報から少なくとも所定の音量以上の部分を前記シーン毎再生時間の間にハイライトシーンとして抽出するハイライト抽出手段と、
前記設定されたシーン毎再生時間にハイライトシーンの個数を掛けて前記ハイライト抽出手段により抽出されたハイライトシーンの総再生時間を算出する総再生時間算出手段と、
前記総再生時間が前記ハイライト再生時間以内であるか否かを判定する総再生時間判定手段と、
前記総再生時間が前記ハイライト再生時間以内であると判定された場合は、そのまま前記抽出されたハイライトシーンの再生を行う第１のハイライト再生手段と、
前記総再生時間が前記ハイライト再生時間以内でないと判定された場合は、前記抽出されたハイライトシーンの中からハイライト度の高いハイライトシーンから順位を付けていくハイライトシーン順位付加手段と、
前記順位が付けられたハイライトシーンの中から順位の高いハイライトシーンより順に再抽出していく順位ハイライト再抽出手段と、
前記再抽出されたハイライトシーンの再生時間を加算していく再生時間加算手段と、
前記加算再生時間が前記ハイライト再生時間以内であるか否かを判定する加算再生時間判定手段と、
前記加算再生時間が前記ハイライト再生時間以内であると判定されている間は、前記順位ハイライト再抽出手段および前記再生時間加算手段の処理を行わせ、前記加算再生時間が前記ハイライト再生時間を超えたと判定された場合は、前記加算再生時間がハイライト再生時間を超える前までに前記再抽出されたハイライトシーンを記録された時間順に並べ換える処理、または前記加算再生時間がハイライト再生時間を超える前までに前記再抽出されたハイライトシーンをハイライト度の高い順に並べ換える処理を行うハイライトシーン並べ換え手段と、
前記並び換えられたハイライトシーンを再生させる第２のハイライト再生手段と、を有するシステムコントローラを備えたことを特徴とする情報記録再生装置。
【請求項２】
テレビ番組を記録媒体に記録できる構成を有し、記録媒体に対して情報を記録したり、記録媒体に記録された情報を再生したりする情報記録再生装置において、
記録媒体に記録された情報のハイライトシーンを視聴するためにユーザにより指定されたハイライト再生時間を設定するハイライト再生時間設定手段と、
前記記録媒体から抽出される各ハイライトシーンに対するシーン毎再生時間を設定するシーン毎再生時間設定手段と、
前記記録媒体に記録された情報から少なくとも所定の音量以上の部分を前記シーン毎再生時間の間にハイライトシーンとして抽出するハイライト抽出手段と、
前記設定されたシーン毎再生時間にハイライトシーンの個数を掛けて前記ハイライト抽出手段により抽出されたハイライトシーンの総再生時間を算出する総再生時間算出手段と、
前記総再生時間が前記ハイライト再生時間以内であるか否かを判定する総再生時間判定手段と、
前記総再生時間が前記ハイライト再生時間以内であると判定された場合は、そのまま前記抽出されたハイライトシーンの再生を行う第１のハイライト再生手段と、
前記総再生時間が前記ハイライト再生時間以内でないと判定された場合は、前記抽出されたハイライトシーンの中からハイライト度の高いハイライトシーンから順位を付けていくハイライトシーン順位付加手段と、
前記順位が付けられたハイライトシーンの中から順位の高いハイライトシーンより順に再抽出し、この再抽出したハイライトシーンの総再生時間が前記設定したハイライト再生時間に収まる範囲内で抽出し、この抽出されたハイライトシーンを記録された時間順に並べ換える処理、または前記抽出されたハイライトシーンをハイライト度の高い順に並べ換える処理を行う順位ハイライト再抽出・並べ換え手段と、
前記並び換えられたハイライトシーンを再生させる第２のハイライト再生手段と、を有するシステムコントローラを備えたことを特徴とする情報記録再生装置。
【請求項３】
前記シーン毎再生時間設定手段は、前記ハイライト抽出手段により抽出される各ハイライトシーンに対するシーン毎再生時間を一定時間に設定、または抽出される各ハイライトシーンに対するシーン毎再生時間を前記少なくとも所定の音量以上の部分が続いている期間の時間に設定することを特徴とする請求項２に記載の情報記録再生装置。
【請求項４】
前記順位ハイライト再抽出・並べ換え手段は、前記順位が付けられたハイライトシーンの中から順位の高いハイライトシーンより順に再抽出していく順位ハイライト再抽出手段と、前記再抽出されたハイライトシーンの再生時間を加算していく再生時間加算手段と、前記加算再生時間が前記ハイライト再生時間以内であるか否かを判定する加算再生時間判定手段と、前記加算再生時間が前記ハイライト再生時間以内であると判定されている間は、前記順位ハイライト再抽出手段および前記再生時間加算手段の処理を行わせ、前記加算再生時間が前記ハイライト再生時間を超えたと判定された場合は、前記加算再生時間がハイライト再生時間を超える前までに前記再抽出されたハイライトシーンを記録された時間順に並べ換える処理、または前記加算再生時間がハイライト再生時間を超える前までに前記再抽出されたハイライトシーンをハイライト度の高い順に並べ換える処理を行うハイライトシーン並べ換え手段とを有することを特徴とする請求項２に記載の情報記録再生装置。
【発明の詳細な説明】
【技術分野】
【０００１】
本発明は、テレビ番組を記録媒体に記録できる構成を有し、記録媒体に対して情報を記録したり、記録媒体に記録された情報を再生したりする情報記録再生装置に関し、特に、記録したテレビ番組のハイライトシーンを再生する処理に関する。
【背景技術】
【０００２】
従来から、記録媒体としてのハードディスクに対して情報の記録／再生を行うハードディスク装置や、記録媒体としてのＤＶＤ（デジタル・バーサタイル・ディスク）に対して情報の記録／再生を行う光ディスク装置、あるいはハードディスク装置と光ディスク装置を備えた複合型記録再生装置などのような情報記録再生装置では、テレビ放送信号を受信して所望のテレビ番組の映像音声信号を選択して出力するチューナを備え、このチューナからの映像音声信号を所定処理して映像音声データとして記録媒体に記録させたり、記録媒体に記録された映像音声データを再生したりすることができるように構成されている。
【０００３】
ところで、このような情報記録再生装置を用いて、例えば、スポーツ番組を記録し、後で、ハイライトシーンだけを視聴したい場合がある。このような場合に、ハイライトシーンを再生するための操作がリモコンにより行われると、情報記録再生装置は、記録媒体に記録されているスポーツ番組の映像音声データを読み出し、この映像音声データのうちで少なくとも所定の音量以上の部分をハイライトシーンのデータとして抽出し、この抽出したハイライトシーンのデータを復号し、更に、映像音声信号に変換してテレビ受信機などのモニタ装置に供給することにより、モニタ装置のディスプレイ装置にはハイライトシーンが表示され、また、モニタ装置のスピーカからはハイライトシーンの音声が出力される。
【特許文献１】特開２００１−３４４９４９号公報
【特許文献２】特開２００５−６２９７１号公報
【発明の開示】
【発明が解決しようとする課題】
【０００４】
ところが、ユーザが、情報記録再生装置を操作して、記録媒体に記録されたスポーツ番組を視聴したい場合、最初から再生してスポーツ番組を視聴するが、ユーザに時間が十分に取れない場合、そのスポーツ番組をハイライトシーンで視聴することになるが、従来の情報記録再生装置では、各ハイライトシーンの再生時間やハイライトシーンの個数が多くなると、制約された時間内でハイライトシーンを全部再生することができないという課題があった。
【０００５】
なお、特許文献１の従来技術は、記録媒体にデータを書き込むときに、データ中のハイライト部分を抽出してデータとして個別に書き込ませ、また、記録媒体からデータを再生させるとき、ハイライト部分を再生し、この再生中に選択されたハイライト部分に対応するデータを再生するように構成されているが、ユーザが、例えば、３０分しか時間が無いのに、ハイライト部分が４５分有ったとすると、３０分しかハイライト部分を視聴することができない。即ち、この従来技術は、ユーザが指定した時間内にハイライトシーンを視聴することができないという課題が生じる。
【０００６】
特許文献２の従来技術は、コンテンツ間の関連性を示す関連情報に基づいて互いに関連性を有するコンテンツを選択し、選択された複数のコンテンツを再生させるものであって、更に、複数のコンテンツの主要部分を順次切り換えて再生させるハイライト再生部を有しているが、ユーザが指定した時間内にハイライトシーンを視聴できるようにしたものではない。
【０００７】
本発明は、上記のような課題を解決するためになされたもので、ハードディスクやＤＶＤの記録媒体に記録したテレビ番組などの情報をユーザが指定した時間内にハイライトシーンを再生させることができる情報記録再生装置を提供することを目的とする。
【課題を解決するための手段】
【０００８】
上記目的を達成するために、請求項１の発明は、記録媒体に記録された情報のハイライトシーンを視聴するためにユーザにより指定されたハイライト再生時間を設定するハイライト再生時間設定手段と、前記記録媒体から抽出される各ハイライトシーンに対するシーン毎再生時間を一定時間に設定、または前記記録媒体から抽出される各ハイライトシーンに対するシーン毎再生時間を少なくとも所定の音量以上の部分が続いている期間の時間に設定するシーン毎再生時間設定手段と、前記記録媒体に記録された情報から少なくとも所定の音量以上の部分を前記シーン毎再生時間の間にハイライトシーンとして抽出するハイライト抽出手段と、前記設定されたシーン毎再生時間にハイライトシーンの個数を掛けて前記ハイライト抽出手段により抽出されたハイライトシーンの総再生時間を算出する総再生時間算出手段と、前記総再生時間が前記ハイライト再生時間以内であるか否かを判定する総再生時間判定手段と、前記総再生時間が前記ハイライト再生時間以内であると判定された場合は、そのまま前記抽出されたハイライトシーンの再生を行う第１のハイライト再生手段と、前記総再生時間が前記ハイライト再生時間以内でないと判定された場合は、前記抽出されたハイライトシーンの中からハイライト度の高いハイライトシーンから順位を付けていくハイライトシーン順位付加手段と、前記順位が付けられたハイライトシーンの中から順位の高いハイライトシーンより順に再抽出していく順位ハイライト再抽出手段と、前記再抽出されたハイライトシーンの再生時間を加算していく再生時間加算手段と、前記加算再生時間が前記ハイライト再生時間以内であるか否かを判定する加算再生時間判定手段と、前記加算再生時間が前記ハイライト再生時間以内であると判定されている間は、前記順位ハイライト再抽出手段および前記再生時間加算手段の処理を行わせ、前記加算再生時間が前記ハイライト再生時間を超えたと判定された場合は、前記加算再生時間がハイライト再生時間を超える前までに前記再抽出されたハイライトシーンを記録された時間順に並べ換える処理、または前記加算再生時間がハイライト再生時間を超える前までに前記再抽出されたハイライトシーンをハイライト度の高い順に並べ換える処理を行うハイライトシーン並べ換え手段と、前記並び換えられたハイライトシーンを再生させる第２のハイライト再生手段と、を有するシステムコントローラを備えたことを特徴とする情報記録再生装置を提供する。
【０００９】
この構成において、記録媒体に例えばサッカー番組が記録されているものとする。先ず、ユーザが、例えば１５分でサーカー番組のハイライトシーンを視聴したい場合、ハイライト再生時間設定手段は、１５分をハイライト再生時間として設定する。次に、シーン毎再生時間設定手段は、ハイライト抽出手段により抽出される各ハイライトシーンに対するシーン毎再生時間を一定時間に設定、または前記抽出される各ハイライトシーンに対するシーン毎再生時間を前記少なくとも所定の音量以上の部分が続いている期間の時間に設定する。ここでは、前記シーン毎再生時間を一定時間（５分）に設定するとして説明する。
【００１０】
この後、ハイライト抽出手段は、記録媒体に記録されたサッカー番組の各ハイライトシーンを前記設定されたシーン毎再生時間（５分）の間にそれぞれ抽出する。次に、総再生時間算出手段は、前記設定されたシーン毎再生時間にハイライトシーンの個数を掛けて前記ハイライト抽出手段により抽出されたハイライトシーンの総再生時間を算出する。例えば、シーン毎再生時間が５分であり、ハイライトシーンの個数が５個であった場合、ハイライトシーンの総再生時間は、５分×５で、２５分となる。
【００１１】
この後、総再生時間判定手段は、前記総再生時間が前記ハイライト再生時間以内であるか否かを判定する。前記総再生時間が前記ハイライト再生時間以内であると判定された場合は、ハイライト再生手段は、そのまま前記抽出されたハイライトシーンの再生を行う。しかし、前記総再生時間が前記ハイライト再生時間以内でないと判定された場合は、ハイライトシーン順位付加手段は、前記抽出されたハイライトシーンの中からハイライト度の高いハイライトシーンから順位を付けていく処理を行う。
【００１２】
この例の場合、総再生時間が２５分であり、ハイライト再生時間が１５分であるので、総再生時間判定手段は、前記総再生時間が前記ハイライト再生時間以内でないと判定し、ハイライトシーン順位付加手段は、前記抽出されたハイライトシーンの中からハイライト度の高いハイライトシーンから順位を付けていく処理を行う。次に、順位ハイライト再抽出手段は、前記順位が付けられたハイライトシーンの中から順位の高いハイライトシーンから順に抽出していく処理を行い、再生時間加算手段は、前記抽出されたハイライトシーンの再生時間を加算していく処理を行う。加算再生時間判定手段は、前記加算再生時間が前記ハイライト再生時間以内であるか否かを判定する。加算再生時間判定手段は、加算再生時間がハイライト再生時間を超えていると判定し、次にハイライトシーン並べ換え手段は、前記加算再生時間がハイライト再生時間を超える前までに前記抽出されたハイライトシーンを記録された時間順、またはハイライト度の高い順次に並べ換える処理を行う。そして、第２のハイライト再生手段は、前記並び換えられたハイライトシーンを再生する。
【００１３】
この構成によれば、記録媒体に記録したテレビ番組などの情報をユーザが指定した時間内にハイライトシーンを再生させることができ、これにより、ユーザは、空いている時間を利用して、テレビ番組などの情報のハイライトシーンを視聴することができるようになる。また、ユーザが指定した時間内にハイライトシーンを全部再生できない場合は、時間内に収まる範囲で、ハイライト度の高い順からハイライトシーンを再生するので、当該番組などの情報の特に盛り上がったハイライトシーンを視聴でき、当該番組のハイライトシーンの要約を把握することができる。
【００１４】
請求項２の発明は、記録媒体に記録された情報のハイライトシーンを視聴するためにユーザにより指定されたハイライト再生時間を設定するハイライト再生時間設定手段と、前記記録媒体から抽出される各ハイライトシーンに対するシーン毎再生時間を設定するシーン毎再生時間設定手段と、前記記録媒体に記録された情報から少なくとも所定の音量以上の部分を前記シーン毎再生時間の間にハイライトシーンとして抽出するハイライト抽出手段と、前記設定されたシーン毎再生時間にハイライトシーンの個数を掛けて前記ハイライト抽出手段により抽出されたハイライトシーンの総再生時間を算出する総再生時間算出手段と、前記総再生時間が前記ハイライト再生時間以内であるか否かを判定する総再生時間判定手段と、前記総再生時間が前記ハイライト再生時間以内であると判定された場合は、そのまま前記抽出されたハイライトシーンの再生を行う第１のハイライト再生手段と、前記総再生時間が前記ハイライト再生時間以内でないと判定された場合は、前記抽出されたハイライトシーンの中からハイライト度の高いハイライトシーンから順位を付けていくハイライトシーン順位付加手段と、前記順位が付けられたハイライトシーンの中から順位の高いハイライトシーンより順に再抽出し、この再抽出したハイライトシーンの総再生時間が前記設定したハイライト再生時間に収まる範囲内で抽出し、この抽出されたハイライトシーンを記録された時間順に並べ換える処理、または前記抽出されたハイライトシーンをハイライト度の高い順に並べ換える処理を行う順位ハイライト再抽出・並べ換え手段と、前記並び換えられたハイライトシーンを再生させる第２のハイライト再生手段とを有するシステムコントローラを備えたことを特徴とする情報記録再生装置を提供する。
【００１５】
この構成において、記録媒体に記録された情報のハイライトシーンを視聴するためにユーザにより指定されたハイライト再生時間がハイライト再生時間設定手段により設定され、記録媒体から抽出される各ハイライトシーンに対するシーン毎再生時間がシーン毎再生時間設定手段により設定される。前記記録媒体に記録された情報から少なくとも所定の音量以上の部分が、前記シーン毎再生時間の間にハイライトシーンとしてハイライト抽出手段により抽出される。前記設定されたシーン毎再生時間にハイライトシーンの個数を掛けて前記ハイライト抽出手段により抽出されたハイライトシーンの総再生時間が総再生時間算出手段により算出される。
【００１６】
総再生時間判定手段により、前記総再生時間が前記ハイライト再生時間以内であると判定された場合は、そのまま前記抽出されたハイライトシーンの再生が第１のハイライト再生手段により行われる。前記総再生時間が前記ハイライト再生時間以内でないと判定された場合は、前記抽出されたハイライトシーンの中からハイライト度の高いハイライトシーンから順位がハイライトシーン順位付加手段により付けられていく。
【００１７】
順位ハイライト再抽出・並べ換え手段では、前記順位が付けられたハイライトシーンの中から順位の高いハイライトシーンより順に再抽出され、この再抽出されたハイライトシーンの総再生時間が前記設定したハイライト再生時間に収まる範囲内で抽出され、この抽出されたハイライトシーンが記録の時間順に並べ換え換えられ、または前記抽出されたハイライトシーンがハイライト度の高い順に並べ換えられる。前記並べ換えられたハイライトシーンは、第２のハイライト再生手段により再生される。
【００１８】
この構成によれば、記録媒体に記録したテレビ番組などの情報をユーザが指定した時間内にハイライトシーンを再生させることができ、これにより、ユーザは、空いている時間を利用して、テレビ番組などの情報のハイライトシーンを視聴することができるようになる。また、ユーザが指定した時間内にハイライトシーンを全部再生できない場合は、時間内に収まる範囲で、ハイライト度の高い順からハイライトシーンを再生するので、当該番組などの情報の特に盛り上がったハイライトシーンを視聴でき、当該番組のハイライトシーンの要約を把握することができる。
【００１９】
請求項３の発明では、請求項２の発明において、前記シーン毎再生時間設定手段は、前記ハイライト抽出手段により抽出される各ハイライトシーンに対するシーン毎再生時間を一定時間に設定、または抽出される各ハイライトシーンに対するシーン毎再生時間を前記少なくとも所定の音量以上の部分が続いている期間の時間に設定するので、抽出される各ハイライトシーンに対するシーン毎再生時間が一定時間に設定することができ、または抽出される各ハイライトシーンに対するシーン毎再生時間が、前記少なくとも所定の音量以上の部分が続いている期間に設定することができる。
【００２０】
請求項４の発明では、請求項２の発明において、前記順位ハイライト再抽出・並べ換え手段は、前記順位が付けられたハイライトシーンの中から順位の高いハイライトシーンより順に再抽出していく順位ハイライト再抽出手段と、前記再抽出されたハイライトシーンの再生時間を加算していく再生時間加算手段と、前記加算再生時間が前記ハイライト再生時間以内であるか否かを判定する加算再生時間判定手段と、前記加算再生時間が前記ハイライト再生時間以内であると判定されている間は、前記順位ハイライト再抽出手段および前記再生時間加算手段の処理を行わせ、前記加算再生時間が前記ハイライト再生時間を超えたと判定された場合は、前記加算再生時間がハイライト再生時間を超える前までに前記再抽出されたハイライトシーンを記録された時間順に並べ換える処理、または前記加算再生時間がハイライト再生時間を超える前までに前記再抽出されたハイライトシーンをハイライト度の高い順に並べ換える処理を行うハイライトシーン並べ換え手段とを有する。
【００２１】
したがって、前記順位ハイライト再抽出・並べ換え手段は、前記順位が付けられたハイライトシーンの中から順位の高いハイライトシーンより順に再抽出して、この再抽出したハイライトシーンの総再生時間が前記設定したハイライト再生時間に収まる範囲内で抽出することを可能にし、この抽出されたハイライトシーンを記録された時間順に並べ換える処理、または前記抽出されたハイライトシーンをハイライト度の高い順に並べ換える処理を行うことを可能にする。
【発明の効果】
【００２２】
以上のように本発明によれば、記録媒体に記録された情報のハイライトシーンを視聴するためにユーザにより指定されたハイライト再生時間を設定するハイライト再生時間設定手段と、前記記録媒体から抽出される各ハイライトシーンに対するシーン毎再生時間を一定時間に設定、または前記記録媒体から抽出される各ハイライトシーンに対するシーン毎再生時間を少なくとも所定の音量以上の部分が続いている期間の時間に設定するシーン毎再生時間設定手段と、前記記録媒体に記録された情報から少なくとも所定の音量以上の部分を前記シーン毎再生時間の間にハイライトシーンとして抽出するハイライト抽出手段と、前記設定されたシーン毎再生時間にハイライトシーンの個数を掛けて前記ハイライト抽出手段により抽出されたハイライトシーンの総再生時間を算出する総再生時間算出手段と、前記総再生時間が前記ハイライト再生時間以内であるか否かを判定する総再生時間判定手段と、前記総再生時間が前記ハイライト再生時間以内であると判定された場合は、そのまま前記抽出されたハイライトシーンの再生を行う第１のハイライト再生手段と、前記総再生時間が前記ハイライト再生時間以内でないと判定された場合は、前記抽出されたハイライトシーンの中からハイライト度の高いハイライトシーンから順位を付けていくハイライトシーン順位付加手段と、前記順位が付けられたハイライトシーンの中から順位の高いハイライトシーンより順に再抽出していく順位ハイライト再抽出手段と、前記再抽出されたハイライトシーンの再生時間を加算していく再生時間加算手段と、前記加算再生時間が前記ハイライト再生時間以内であるか否かを判定する加算再生時間判定手段と、前記加算再生時間が前記ハイライト再生時間以内であると判定されている間は、前記順位ハイライト再抽出手段および前記再生時間加算手段の処理を行わせ、前記加算再生時間が前記ハイライト再生時間を超えたと判定された場合は、前記加算再生時間がハイライト再生時間を超える前までに前記再抽出されたハイライトシーンを記録された時間順に並べ換える処理、または前記加算再生時間がハイライト再生時間を超える前までに前記再抽出されたハイライトシーンをハイライト度の高い順に並べ換える処理を行うハイライトシーン並べ換え手段と、前記並び換えられたハイライトシーンを再生させる第２のハイライト再生手段とを有するシステムコントローラを備えたので、記録媒体に記録したテレビ番組などの情報をユーザが指定した時間内にハイライトシーンを再生させることができ、これにより、ユーザは、空いている時間を利用して、テレビ番組などの情報のハイライトシーンを視聴することができるようになる。また、ユーザが指定した時間内にハイライトシーンを全部再生できない場合は、時間内に収まる範囲で、ハイライト度の高い順からハイライトシーンを再生するので、当該番組などの情報の特に盛り上がったハイライトシーンを視聴でき、当該番組のハイライトシーンの要約をつかむことができる。
【００２３】
また、本発明によれば、記録媒体に記録された情報のハイライトシーンを視聴するためにユーザにより指定されたハイライト再生時間を設定するハイライト再生時間設定手段と、前記記録媒体から抽出される各ハイライトシーンに対するシーン毎再生時間を設定するシーン毎再生時間設定手段と、前記記録媒体に記録された情報から少なくとも所定の音量以上の部分を前記シーン毎再生時間の間にハイライトシーンとして抽出するハイライト抽出手段と、前記設定されたシーン毎再生時間にハイライトシーンの個数を掛けて前記ハイライト抽出手段により抽出されたハイライトシーンの総再生時間を算出する総再生時間算出手段と、前記総再生時間が前記ハイライト再生時間以内であるか否かを判定する総再生時間判定手段と、前記総再生時間が前記ハイライト再生時間以内であると判定された場合は、そのまま前記抽出されたハイライトシーンの再生を行う第１のハイライト再生手段と、前記総再生時間が前記ハイライト再生時間以内でないと判定された場合は、前記抽出されたハイライトシーンの中からハイライト度の高いハイライトシーンから順位を付けていくハイライトシーン順位付加手段と、前記順位が付けられたハイライトシーンの中から順位の高いハイライトシーンより順に再抽出し、この再抽出したハイライトシーンの総再生時間が前記設定したハイライト再生時間に収まる範囲内で抽出し、この抽出されたハイライトシーンを記録された時間順に並べ換える処理、または前記抽出されたハイライトシーンをハイライト度の高い順に並べ換える処理を行う順位ハイライト再抽出・並べ換え手段と、前記並び換えられたハイライトシーンを再生させる第２のハイライト再生手段とを有するシステムコントローラを備えたので、記録媒体に記録したテレビ番組などの情報をユーザが指定した時間内にハイライトシーンを再生させることができ、これにより、ユーザは、空いている時間を利用して、テレビ番組などの情報のハイライトシーンを視聴することができるようになる。また、ユーザが指定した時間内にハイライトシーンを全部再生できない場合は、時間内に収まる範囲で、ハイライト度の高い順からハイライトシーンを再生するので、当該番組などの情報の特に盛り上がったハイライトシーンを視聴でき、当該番組のハイライトシーンの要約をつかむことができる。
【発明を実施するための最良の形態】
【００２４】
以下、添付図面を参照しつつ、本発明の実施の形態について説明する。図１は本発明の一実施形態に係る情報記録再生装置としての複合型記録再生装置の構成を示すブロック図である。この実施形態では、記録媒体としてのＤＶＤ（デジタル・バーサタイル・ディスク）などの光ディスクに対して情報の記録／再生を行う光ディスク装置と、記録媒体としてのハードディスクに対して情報の記録／再生を行うハードディスク装置とを備えた複合型記録再生装置について説明するが、情報記録再生装置としては、光ディスク装置およびハードディスク装置の何れか一方の装置を備えたものに対しても、本実施形態におけるハイライトシーンの再生処理を適用できることは言うまでもない。
【００２５】
図１において、複合型記録再生装置１は、光ディスクとしてのＤＶＤ１３に対して情報の記録／再生を行う光ディスク装置２と、ハードディスク１４に対して情報の記録／再生を行うハードディスク装置３と、図示しないアンテナからのテレビ放送信号を受信し、所望のチャンネルのテレビ放送信号を選択して映像音声信号として出力するチューナ４と、光ディスク装置２またはハードディスク装置３またはチューナ４から出力された映像音声信号を復号するデコーダ５と、チューナ４が受信可能な放送チャンネルを記憶すると共にシステムコントローラ１０の動作に必要なプログラムなどを記憶するフラッシュＲＯＭ６と、デコーダ５で復号された映像信号をモニタ装置（テレビ受信機など）１２のディスプレイ装置（図示せず）で表示可能な映像信号に変換する映像出力部７と、デコーダ５で復号された音声信号をモニタ装置１２のスピーカ（図示せず）で出力可能な音声信号に変換する音声出力部８と、リモコン１１から送信された赤外光の各種の指令信号を受信し、受信した赤外光の指令信号を電気信号の指令信号に変換し、この指令信号をシステムコントローラ１０に入力するリモコン受信部９と、装置全体を制御する前記システムコントローラ１０とを備えている。
【００２６】
システムコントローラ１０は、本実施形態の特徴として、記録媒体に記録された情報のハイライトシーンを視聴するためにユーザにより指定されたハイライト再生時間を設定するハイライト再生時間設定手段と、前記記録媒体から抽出される各ハイライトシーンに対するシーン毎再生時間を一定時間に設定、または前記記録媒体から抽出される各ハイライトシーンに対するシーン毎再生時間を少なくとも所定の音量以上の部分が続いている期間の時間に設定するシーン毎再生時間設定手段と、前記記録媒体に記録された情報から少なくとも所定の音量以上の部分を前記シーン毎再生時間の間にハイライトシーンとして抽出するハイライト抽出手段と、前記設定されたシーン毎再生時間にハイライトシーンの個数を掛けて前記ハイライト抽出手段により抽出されたハイライトシーンの総再生時間を算出する総再生時間算出手段と、前記総再生時間が前記ハイライト再生時間以内であるか否かを判定する総再生時間判定手段と、前記総再生時間が前記ハイライト再生時間以内であると判定された場合は、そのまま前記抽出されたハイライトシーンの再生を行う第１のハイライト再生手段と、前記総再生時間が前記ハイライト再生時間以内でないと判定された場合は、前記抽出されたハイライトシーンの中からハイライト度の高いハイライトシーンから順位を付けていくハイライトシーン順位付加手段と、前記順位が付けられたハイライトシーンの中から順位の高いハイライトシーンより順に再抽出し、この再抽出したハイライトシーンの総再生時間が前記設定したハイライト再生時間に収まる範囲内で抽出し、この抽出されたハイライトシーンを記録された時間順に並べ換える処理、または前記抽出されたハイライトシーンをハイライト度の高い順に並べ換える処理を行う順位ハイライト再抽出・並べ換え手段と、前記並び換えられたハイライトシーンを再生させる第２のハイライト再生手段とを有する。
【００２７】
前記順位ハイライト再抽出・並べ換え手段は、前記順位が付けられたハイライトシーンの中から順位の高いハイライトシーンより順に再抽出していく順位ハイライト再抽出手段と、前記再抽出されたハイライトシーンの再生時間を加算していく再生時間加算手段と、前記加算再生時間が前記ハイライト再生時間以内であるか否かを判定する加算再生時間判定手段と、前記加算再生時間が前記ハイライト再生時間以内であると判定されている間は、前記順位ハイライト再抽出手段および前記再生時間加算手段の処理を行わせ、前記加算再生時間が前記ハイライト再生時間を超えたと判定された場合は、前記加算再生時間がハイライト再生時間を超える前までに前記再抽出されたハイライトシーンを記録された時間順に並べ換える処理、または前記加算再生時間がハイライト再生時間を超える前までに前記再抽出されたハイライトシーンをハイライト度の高い順に並べ換える処理を行うハイライトシーン並べ換え手段とを有する。
【００２８】
図２は第１の実施形態においてサッカー番組において抽出されたハイライトシーンの流れの一例を説明するための図である。図２において、ハイライトシーンＨ１は試合が開始してから５分間の間で記録媒体から抽出されたハイライトシーンを示し、ハイライトシーンＨ２はドリブルが行われて盛り上がった５分間の間で記録媒体から抽出されたハイライトシーンを示す。ハイライトシーンＨ３はシュートが行われて盛り上がった５分間の間で記録媒体から抽出されたハイライトシーンを示し、ハイライトシーンＨ４はゴールが行われて盛り上がった５分間の間で記録媒体から抽出されたハイライトシーンを示す。また、ハイライトシーンＨ５は試合が終了して盛り上がった５分間の間で記録媒体から抽出されたハイライトシーンを示す。
【００２９】
図３は図２に示すように抽出されたハイライトシーンに順位が付けられた状態を説明するためのハイライトシーンの流れの一例を示す図である。図３において、ハイライトシーンの順位が最も高いことを示すハイライト度の高いハイライトシーンから順番に、ハイライト度がＮｏ．１のハイライトシーンＨ４、ハイライト度がＮｏ．２のハイライトシーンＨ３、ハイライト度がＮｏ．３のハイライトシーンＨ２、ハイライト度がＮｏ．４のハイライトシーンＨ５、ハイライト度がＮｏ．５のハイライトシーンＨ１というように、ハイライトシーンに順位が付けられている。ハイライト度は、ハイライトシーンにおける音量の大きさと画像の動きの激しさとを総合的に判断して、音量の大きさと画像の動きの激しさとが最も大きいものがハイライト度Ｎｏ．１になる。
【００３０】
図４は図３に示すようにハイライト度の順位が付けられたハイライトシーンからユーザが指定したハイライト再生時間内で再生できるハイライトシーンのみを抽出した状態を説明するためのハイライトシーンの流れの一例を示す図である。図４において、ユーザが指定したハイライト再生時間は１５分である場合、ハイライトシーンＨ１〜Ｈ５の全てを再生させることができないので、ハイライト度の高い順から、ハイライト再生時間が１５分以内に収まるように、ハイライト度がＮｏ．１のハイライトシーンＨ４とハイライト度がＮｏ．２のハイライトシーンＨ３とハイライト度がＮｏ．３のハイライトシーンＨ２との各データのみが抽出される。ハイライト度がＮｏ．５のハイライトシーンＨ１およびハイライト度がＮｏ．４のハイライトシーンＨ５は、１５分以内に再生することができないので、これらのデータは抽出されない。
【００３１】
図５は第１の実施形態においてハイライト度の高いハイライトシーンから順位を付けて抽出したハイライト度の高いハイライトシーンを記録順に再生する処理を説明するためのフローチャートである。このフローチャートおよび図１〜図４を参照してハイライト度の高いハイライトシーンから順位を付けて抽出したハイライト度の高いハイライトシーンを記録順に再生する処理について説明する。
【００３２】
ここの説明では、ハードディスク１４にサッカー番組が記録されているものとする。先ず、ユーザが、例えば、１５分でサーカー番組のハイライトシーンを視聴したい場合、その１５分をハイライト再生時間として設定する操作をリモコン１１により行うと、これに応答して、システムコントローラ１０のハイライト再生時間設定手段は、１５分を示すデータをフラッシュＲＯＭ６に設定する（ステップＳ１）。次に、システムコントローラ１０のシーン毎再生時間設定手段は、ハイライト抽出手段により抽出される各ハイライトシーンに対するシーン毎再生時間を一定時間に設定、または前記抽出される各ハイライトシーンに対するシーン毎再生時間を音量および映像の動きの総合的な判断結果の所定値以上の部分が続いている期間の時間に設定する（ステップＳ２）。ここでは、前記シーン毎再生時間を一定時間（５分）に設定するとして説明する。
【００３３】
この後、システムコントローラ１０のハイライト抽出手段は、ハードディスク装置３を駆動させハードディスク１４に記録されたサッカー番組のハイライトシーンを前記設定されたシーン毎再生時間の間に抽出する（ステップＳ３）。即ち、ハイライト抽出手段は、本来の再生に入る前に、ハードディスク１４からサッカー番組のハイライトシーンを抽出するために、ハードディスク装置３を高速読み取り動作させる。これにより、ハードディスク装置３は、ハードディスク１４に記録されたサッカー番組のデータを高速で読み出しているときに、そのデータのうちで音量および映像の動きの総合的な判断結果の所定値以上の部分を前記シーン毎再生時間の間、ハイライトシーンとして抽出する。
【００３４】
このようにして抽出されたハイライトシーンが、例えば、図２に示すように、ハイライトシーンＨ１、ハイライトシーンＨ２、ハイライトシーンＨ３、ハイライトシーンＨ４、ハイライトシーンＨ５となる。この図２に示す例では、シーン毎再生時間が一定時間（５分）に設定されている場合で、ハイライトシーンＨ１、ハイライトシーンＨ２、ハイライトシーンＨ３、ハイライトシーンＨ４、ハイライトシーンＨ５が、それぞれ５分間ハードディスク１４から読み出されたものである。ただし、この５分は、ハードディスク１４にサッカー番組が記録されて行くときのディスク上の時間であり、再生時には再生時間に相当するものである。
【００３５】
次に、システムコントローラ１０の総再生時間算出手段は、前記設定されたシーン毎再生時間にハイライトシーンの個数を掛けて前記ハイライト抽出手段により抽出されたハイライトシーンの総再生時間を算出する（ステップＳ４）。例えば、図２に示すように、シーン毎再生時間が５分であり、ハイライトシーンの個数が５個であった場合、ハイライトシーンの総再生時間は、５分×５で、２５分となる。
【００３６】
この後、システムコントローラ１０の総再生時間判定手段は、前記総再生時間が前記ハイライト再生時間以内であるか否かを判定する（ステップＳ５）。前記総再生時間が前記ハイライト再生時間以内であると判定された場合は、システムコントローラ１０の第１のハイライト再生手段は、そのまま前記抽出されたハイライトシーンの再生を行う（ステップＳ１２）。しかし、前記総再生時間が前記ハイライト再生時間以内でないと判定された場合は、システムコントローラ１０のハイライトシーン順位付加手段は、前記抽出されたハイライトシーンの中からハイライト度の高いハイライトシーンから順位を付けていく処理を行う（ステップＳ６）。
【００３７】
この例の場合、総再生時間が２５分であり、ハイライト再生時間が１５分であるので、ステップＳ５の処理では、システムコントローラ１０の総再生時間判定手段は、前記総再生時間が前記ハイライト再生時間以内でないと判定し、システムコントローラ１０のハイライトシーン順位付加手段は、前記抽出されたハイライトシーンの中からハイライト度の高いハイライトシーンから順位を付けていく処理を行う（ステップＳ６）。
【００３８】
例えば、図３に示すように、ハイライトシーンの順位が最も高いことを示すハイライト度の高いハイライトシーンから順番に、ハイライト度がＮｏ．１のハイライトシーンＨ４、ハイライト度がＮｏ．２のハイライトシーンＨ３、ハイライト度がＮｏ．３のハイライトシーンＨ２、ハイライト度がＮｏ．４のハイライトシーンＨ５、ハイライト度がＮｏ．５のハイライトシーンＨ１というように、ハイライトシーンに順位が付けられている。ハイライト度は、ハードディスク装置３により読み出されたハードディスク１４からのサッカー番組のハイライトシーンにおける音量の大きさと画像の動きの激しさを検出し、これらを総合的に判断して、音量の大きさと画像の動きの激しさとが最も大きいものがハイライト度Ｎｏ．１のハイライトシーンとしている。
【００３９】
システムコントローラ１０の順位ハイライト再抽出手段は、前記順位が付けられたハイライトシーンの中から順位の高いハイライトシーンから順に抽出していく処理を行い（ステップＳ７）、システムコントローラ１０の再生時間加算手段は、前記抽出されたハイライトシーンの再生時間を加算していく処理を行う（ステップＳ８）。そして、システムコントローラ１０の加算再生時間判定手段は、前記加算再生時間が前記ハイライト再生時間以内であるか否かを判定する（ステップＳ９）。
【００４０】
即ち、ステップＳ７とステップＳ８とステップＳ９の処理では、例えば、図３に示すように、先ずハイライト度Ｎｏ．１のハイライトシーンＨ４を抽出し、次にハイライト度Ｎｏ．２のハイライトシーンＨ３を抽出し、そして、これらの再生時間（５分）を加算して加算再生時間（１０分）を得て、この加算再生時間がハイライト再生時間（１５分）になるまで、ステップＳ７，Ｓ８，Ｓ９の処理を繰り返し、即ち、この場合、ハイライト度Ｎｏ．３のハイライトシーンＨ２を抽出し、この再生時間（５分）を更に前記加算再生時間（１０分）に加算して、加算再生時間（１５分）を得る。
【００４１】
更に、ステップＳ７，Ｓ８の処理で、ハイライト度Ｎｏ．４のハイライトシーンＨ５を抽出し、この再生時間（５分）を更に前記加算再生時間（１５分）に加算して、加算再生時間（２０分）を得る。しかし、この加算再生時間（２０分）は、ステップＳ１で設定されたハイライト再生時間（１５分）を超えているので、システムコントローラ１０の加算再生時間判定手段は、加算再生時間がハイライト再生時間を超えていると判定し（ステップＳ１０）、次にシステムコントローラ１０のハイライトシーン並べ換え手段は、前記加算再生時間がハイライト再生時間を超える前までに前記抽出されたハイライトシーンを記録された時間順に並べ換える処理を行う（ステップＳ１１）。
【００４２】
即ち、ハイライトシーン並べ換え手段は、加算再生時間がハイライト再生時間（１５分）を超える前までに前記抽出されたハイライトシーン（ハイライト度Ｎｏ．１のハイライトシーンＨ４とハイライト度Ｎｏ．２のハイライトシーンＨ３とハイライト度Ｎｏ．３のハイライトシーンＨ２）を、図４に示すように記録された時間順に並べ換える処理を行う。
【００４３】
そして、システムコントローラ１０の第２のハイライト再生手段は、ハードディスク装置３を駆動させ、前記並び換えられたハイライトシーンのデータをハードディスク１４から記録順（ハイライトシーンＨ２⇒ハイライトシーンＨ３⇒ハイライトシーンＨ４）に再生させる（ステップＳ１２）。この再生されたハイライトシーンのデータは、デコーダ５で複合され、複合された映像データは映像出力部７に与えられ、複合された音声データは音声出力部８に与えられる。したがって、モニタ装置１２のディスプレイ装置には、映像出力部７からの映像信号によるハイライトシーンの映像が表示され、また、モニタ装置１２のスピーカには、音声出力部８からの音声信号が与えられ、ハイライトシーンにおける音声が出力される。そして、ハイライトシーンの再生が開始してからハイライト再生時間（この例の場合１５分）を経過したとき（ステップＳ１３）、システムコントローラ１０は、ハードディスク装置３を停止させ、本処理は終了する。
【００４４】
なお、ステップＳ２において、システムコントローラ１０のシーン毎再生時間設定手段は、ハイライト抽出手段により抽出される各ハイライトシーンに対するシーン毎再生時間を一定時間（５分）に設定したが、前記抽出される各ハイライトシーンに対するシーン毎再生時間を音量および映像の動きの総合的な判断結果の所定値以上の部分が続いている期間の時間に設定した場合において、当該ハイライトシーンの再生時間が長くなって、他のハイライトシーンの再生時間が無くなるようなことがあってはいけないので、当該ハイライトシーンの再生時間を、例えば、ハイライトシーンの総再生時間をハイライトシーンの個数を割って得られたシーン毎再生時間内に短縮したり、当該ハイライトシーンを早送りさせてシーン毎再生時間内に短縮したりすれば良い。また、逆に、当該ハイライトシーンの再生時間が短くなった場合には、当該ハイライトシーンの前後のシーンも含めて再生しても良い。
【００４５】
図６は第２の実施形態においてサッカー番組において抽出されたハイライトシーンの流れの一例を説明するための図である。図６において、ハイライトシーンＨ１は試合が開始してから３分間の間で抽出されたハイライトシーンを示し、ハイライトシーンＨ２はドリブルが行われて盛り上がった３分間の間で抽出されたハイライトシーンを示す。ハイライトシーンＨ３はシュートが行われて盛り上がった３分間の間で抽出されたハイライトシーンを示し、ハイライトシーンＨ４はゴールが行われて盛り上がった３分間の間で抽出されたハイライトシーンを示す。また、ハイライトシーンＨ５は試合が終了して盛り上がった３分間の間で抽出されたハイライトシーンを示す。
【００４６】
図７は図６に示すように抽出されたハイライトシーンに順位が付けられた状態を説明するためのハイライトシーンの流れの一例を示す図である。図７において、ハイライトシーンの順位が最も高いことを示すハイライト度の高いハイライトシーンから順番に、ハイライト度がＮｏ．１のハイライトシーンＨ４、ハイライト度がＮｏ．２のハイライトシーンＨ３、ハイライト度がＮｏ．３のハイライトシーンＨ２、ハイライト度がＮｏ．４のハイライトシーンＨ５、ハイライト度がＮｏ．５のハイライトシーンＨ１というように、ハイライトシーンに順位が付けられている。ハイライト度は、ハイライトシーンにおける音量の大きさと画像の動きの激しさとを総合的に判断して、音量の大きさと画像の動きの激しさとが最も大きいものがハイライト度Ｎｏ．１になる。
【００４７】
図８は図７に示すようにハイライト度の順位が付けられたハイライトシーンからユーザが設定したハイライト再生時間内で再生できるハイライトシーンのみを抽出した状態を説明するためのハイライトシーンの流れの一例を示す図である。図８において、ユーザが設定したハイライト再生時間は１０分である場合、ハイライトシーンＨ１〜Ｈ５の全てを表示させることができないので、ハイライト度の高い順から、ハイライト再生時間が１０分以内に収まるように、ハイライト度がＮｏ．１のハイライトシーンＨ４とハイライト度がＮｏ．２のハイライトシーンＨ３とハイライト度がＮｏ．３のハイライトシーンＨ２との各データのみが抽出され、ハイライト度の高い順から再生できるように、ハイライトシーンＨ４⇒ハイライトシーンＨ３⇒ハイライトシーンＨ２という順に並び換えられる。ハイライト度がＮｏ．５のハイライトシーンＨ１およびハイライト度がＮｏ．４のハイライトシーンＨ５は、ハイライト再生時間の１０分以内に再生することができないので、これらのデータは抽出されない。
【００４８】
図９は第２の実施形態においてハイライト度の高いハイライトシーンから順位を付けて抽出したハイライト度の高いハイライトシーンをハイライト度の高い順に再生する処理を説明するためのフローチャートである。このフローチャートおよび図１、図６〜図８を参照してハイライト度の高いハイライトシーンから順位を付けて抽出したハイライト度の高いハイライトシーンをハイライト度の高い順に再生する処理について説明する。
【００４９】
ここの説明では、ＤＶＤ１３にサッカー番組が記録されているものとする。先ず、ユーザが、例えば、１０分でサーカー番組のハイライトシーンを視聴したい場合、その１０分をハイライト再生時間として指定する操作をリモコン１１により行うと、これに応答して、システムコントローラ１０のハイライト再生時間設定手段は、ハイライト再生時間が１０分を示すデータをフラッシュＲＯＭ６に設定する（ステップＮ１）。次に、システムコントローラ１０のシーン毎再生時間設定手段は、後記ハイライト抽出手段により抽出される各ハイライトシーンに対するシーン毎再生時間を一定時間に設定、または前記抽出される各ハイライトシーンに対するシーン毎再生時間を前記少なくとも所定の音量以上の部分が続いている期間の時間に設定する（ステップＮ２）。ここでは、前記シーン毎再生時間を一定時間（３分）に設定するとして説明する。
【００５０】
なお、ステップＮ２において、システムコントローラ１０のシーン毎再生時間設定手段は、ハイライト抽出手段により抽出される各ハイライトシーンに対するシーン毎再生時間を一定時間（３分）に設定したが、前記抽出される各ハイライトシーンに対するシーン毎再生時間を音量および映像の動きの総合的な判断結果の所定値以上の部分が続いている期間の時間に設定した場合において、当該ハイライトシーンの再生時間が長くなって、他のハイライトシーンの再生時間が無くなるようなことがあってはいけないので、当該ハイライトシーンの再生時間を、例えば、ハイライトシーンの総再生時間をハイライトシーンの個数を割って得られたシーン毎再生時間内に短縮したり、当該ハイライトシーンを早送りさせてシーン毎再生時間内に短縮したりすれば良い。また、逆に、当該ハイライトシーンの再生時間が短くなった場合には、当該ハイライトシーンの前後のシーンも含めて再生しても良い。
【００５１】
この後、システムコントローラ１０のハイライト抽出手段は、光ディスク装置２を駆動させＤＶＤ１３に記録されたサッカー番組のハイライトシーンを前記設定されたシーン毎再生時間の間に抽出する（ステップＮ３）。即ち、ハイライト抽出手段は、本来の再生に入る前に、ＤＶＤ１３からサッカー番組のハイライトシーンを抽出するために、光ディスク装置２を高速読み取り動作させる。これにより、光ディスク装置２は、ＤＶＤ１３に記録されたサッカー番組のデータを高速で読み出しているときに、そのデータのうちで音量および映像の動きの総合的な判断結果の所定値以上の部分を前記シーン毎再生時間の間、ハイライトシーンとして抽出する。
【００５２】
このようにして抽出されたハイライトシーンが、例えば、図６に示すように、ハイライトシーンＨ１、ハイライトシーンＨ２、ハイライトシーンＨ３、ハイライトシーンＨ４、ハイライトシーンＨ５となる。この図６に示す例では、シーン毎再生時間が一定時間（３分）に設定されている場合で、ハイライトシーンＨ１、ハイライトシーンＨ２、ハイライトシーンＨ３、ハイライトシーンＨ４、ハイライトシーンＨ５が、それぞれ３分間ＤＶＤ１３から読み出されたものである。ただし、この３分は、ＤＶＤ１３にサッカー番組が記録されて行くときのディスク上の時間であり、再生時には再生時間に相当するものである。
【００５３】
次に、システムコントローラ１０の総再生時間算出手段は、前記設定されたシーン毎再生時間にハイライトシーンの個数を掛けて前記ハイライト抽出手段により抽出されたハイライトシーンの総再生時間を算出する（ステップＮ４）。例えば、図６に示すように、シーン毎再生時間が３分であり、ハイライトシーンの個数が５個であった場合、ハイライトシーンの総再生時間は、３分×５で、１５分となる。
【００５４】
この後、システムコントローラ１０の総再生時間判定手段は、前記総再生時間が前記ハイライト再生時間以内であるか否かを判定する（ステップＮ５）。前記総再生時間が前記ハイライト再生時間以内であると判定された場合は、システムコントローラ１０のハイライト再生手段は、そのまま前記抽出されたハイライトシーンの再生を行う（ステップＮ１２）。しかし、前記総再生時間が前記ハイライト再生時間以内でないと判定された場合は、システムコントローラ１０のハイライトシーン順位付加手段は、前記抽出されたハイライトシーンの中からハイライト度の高いハイライトシーンから順位を付けていく処理を行う（ステップＮ６）。
【００５５】
この例の場合、総再生時間が１５分であり、ハイライト再生時間が１０分であるので、ステップＮ５の処理では、システムコントローラ１０の総再生時間判定手段は、前記総再生時間が前記ハイライト再生時間以内でないと判定し、システムコントローラ１０のハイライトシーン順位付加手段は、前記抽出されたハイライトシーンの中からハイライト度の高いハイライトシーンから順位を付けていく処理を行う（ステップＮ６）。
【００５６】
例えば、図７に示すように、ハイライトシーンの順位が最も高いことを示すハイライト度の高いハイライトシーンから順番に、ハイライト度がＮｏ．１のハイライトシーンＨ４、ハイライト度がＮｏ．２のハイライトシーンＨ３、ハイライト度がＮｏ．３のハイライトシーンＨ２、ハイライト度がＮｏ．４のハイライトシーンＨ５、ハイライト度がＮｏ．５のハイライトシーンＨ１というように、ハイライトシーンに順位が付けられている。ハイライト度は、光ディスク装置２により読み出されたＤＶＤ１３からのサッカー番組のハイライトシーンにおける音量の大きさと画像の動きの激しさを検出し、これらを総合的に判断して、音量の大きさと画像の動きの激しさとが最も大きいものがハイライト度Ｎｏ．１のハイライトシーンになる。
【００５７】
システムコントローラ１０の順位ハイライト再抽出手段は、前記順位が付けられたハイライトシーンの中から順位の高いハイライトシーンから順に抽出していく処理を行い（ステップＮ７）、システムコントローラ１０の再生時間加算手段は、前記抽出されたハイライトシーンの再生時間を加算していく処理を行う（ステップＮ８）。そして、システムコントローラ１０の加算再生時間判定手段は、前記加算再生時間が前記ハイライト再生時間以内であるか否かを判定する（ステップＮ９）。
【００５８】
即ち、ステップＮ７とステップＮ８とステップＮ９の処理では、例えば、図７に示すように、先ずハイライト度Ｎｏ．１のハイライトシーンＨ４を抽出し、次にハイライト度Ｎｏ．２のハイライトシーンＨ３を抽出し、そして、これらの再生時間（３分）を加算して加算再生時間（６分）を得て、この加算再生時間がハイライト再生時間（１０分）になるまで、ステップＮ７，Ｎ８，Ｎ９の処理を繰り返し、即ち、この場合、ハイライト度Ｎｏ．３のハイライトシーンＨ２を抽出し、この再生時間（３分）を更に前記加算再生時間（６分）に加算して、加算再生時間（９分）を得る。
【００５９】
更に、ステップＮ７，Ｎ８の処理で、ハイライト度Ｎｏ．４のハイライトシーンＨ５を抽出し、この再生時間（３分）を更に前記加算再生時間（９分）に加算して、加算再生時間（１２分）を得る。しかし、この加算再生時間（１２分）は、ステップＮ１で設定されたハイライト再生時間（１０分）を超えているので、システムコントローラ１０の加算再生時間判定手段は、加算再生時間がハイライト再生時間を超えていると判定し（ステップＮ１０）、次にシステムコントローラ１０のハイライトシーン並べ換え手段は、前記加算再生時間がハイライト再生時間を超える前までに前記抽出されたハイライトシーンをハイライト度の高い順に並べ換える処理を行う（ステップＮ１１）。
【００６０】
即ち、ハイライトシーン並べ換え手段は、加算再生時間がハイライト再生時間（１０分）を超える前までに前記抽出されたハイライトシーン（ハイライト度Ｎｏ．１のハイライトシーンＨ４とハイライト度Ｎｏ．２のハイライトシーンＨ３とハイライト度Ｎｏ．３のハイライトシーンＨ２）を、図８に示すようにハイライト度の高い順に並べ換える処理を行う。
【００６１】
そして、システムコントローラ１０の第２のハイライト再生手段は、光ディスク装置２を駆動させ、前記並び換えられたハイライトシーンのデータをＤＶＤ１３からハイライト度の高い順（ハイライトシーンＨ４⇒ハイライトシーンＨ３⇒ハイライトシーンＨ２）に再生させる（ステップＮ１３）。この再生されたハイライトシーンのデータは、デコーダ５で複合化され、複合化された映像データは映像出力部７に与えられ、複合化された音声データは音声出力部８に与えられる。したがって、モニタ装置１２のディスプレイ装置には、映像出力部７からの映像信号によるハイライトシーンの映像が表示され、また、モニタ装置１２のスピーカには、音声出力部８からの音声信号が与えられ、ハイライトシーンにおける音声が出力される。そして、ハイライトシーンの再生が開始してからハイライト再生時間（この例の場合１０分）を経過したとき（ステップＮ１３）、システムコントローラ１０は、光ディスク装置２を停止させ、本処理は終了する。
【００６２】
なお、本実施形態では、スポーツ番組の中でもサッカー番組におけるハイライトシーンの再生処理について説明したが、他のスポーツ番組（野球、相撲、スケート、ボクシング、その他のスポーツ）についても同様なハイライトシーンの再生処理を適用できる。また、スポーツ番組に限らず、音楽番組、コメディ番組、トーク番組、ドラマなどにも、本実施形態のハイライトシーンの再生処理を適用できる。また、本実施形態では、ハードディスクまたはＤＶＤに記録したテレビ番組に対してハイライトシーンの再生処理を行うことについて説明したが、ＤＶＤ−ＲＯＭに記録された映画や音楽コンサートを、ハイライトシーンで再生する場合にも、同様なハイライトシーンの再生処理を適用することができる。
【００６３】
以上説明したように本実施形態によれば、記録媒体に記録したテレビ番組などの情報をユーザが指定した時間内にハイライトシーンを再生させることができ、これにより、ユーザは、空いている時間を利用して、テレビ番組などの情報のハイライトシーンを視聴することができるようになる。また、ユーザが指定した時間内にハイライトシーンを全部再生できない場合は、時間内に収まる範囲で、ハイライト度の高い順からハイライトシーンを再生するので、当該番組などの情報の特に盛り上がったハイライトシーンを視聴でき、当該番組のハイライトシーンの要約を把握することができる。
【産業上の利用可能性】
【００６４】
本発明は、ハードディスク装置、ＤＶＤレコーダ、ハードディスク装置とＤＶＤレコーダとの複合型記録再生装置に利用可能で、記録された情報のハイライトシーンを再生することができる。
【図面の簡単な説明】
【００６５】
【図１】本発明の実施形態に係る情報記録再生装置としての複合型記録再生装置の構成を示すブロック図である。
【図２】第１の実施形態においてサッカー番組において抽出されたハイライトシーンの流れの一例を説明するための図である。
【図３】図２に示すように抽出されたハイライトシーンに順位が付けられた状態を説明するためのハイライトシーンの流れの一例を示す図である。
【図４】図３に示すようにハイライト度の順位が付けられたハイライトシーンからユーザが指定したハイライト再生時間内で再生できるハイライトシーンのみを抽出した状態を説明するためのハイライトシーンの流れの一例を示す図である。
【図５】第１の実施形態においてハイライト度の高いハイライトシーンから順位を付けて抽出したハイライト度の高いハイライトシーンを記録順に再生する処理を説明するためのフローチャートである。
【図６】第２の実施形態においてサッカー番組において抽出されたハイライトシーンの流れの一例を説明するための図である。
【図７】図６に示すように抽出されたハイライトシーンに順位が付けられた状態を説明するためのハイライトシーンの流れの一例を示す図である。
【図８】図７に示すようにハイライト度の順位が付けられたハイライトシーンからユーザが設定したハイライト再生時間内で再生できるハイライトシーンのみを抽出した状態を説明するためのハイライトシーンの流れの一例を示す図である。
【図９】第２の実施形態においてハイライト度の高いハイライトシーンから順位を付けて抽出したハイライト度の高いハイライトシーンをハイライト度の高い順に再生する処理を説明するためのフローチャートである。
【符号の説明】
【００６６】
１０    システムコントローラ
１３    ＤＶＤ（記録媒体）
１４    ハードディスク（記録媒体）
【図１】
2008004170.tif 000003
【図２】
2008004170.tif 000004
【図３】
2008004170.tif 000005
【図４】
2008004170.tif 000006
【図５】
2008004170.tif 000007
【図６】
2008004170.tif 000008
【図７】
2008004170.tif 000009
【図８】
2008004170.tif 000010
【図９】
2008004170.tif 000011